(57)【要約】【課題】塵埃を除去するフィルタの集塵ケースへの装着し忘れがあった場合でも、実質的に電動送風機に塵埃の吸込をさせないようにした電気掃除機を提供すること。【解決手段】シール部材（弾性シール部材７３）によるシール位置と前記フィルタ当接面（内方フランジ１９の前面１９ａ）との間には、前記フィルタ枠６１が前記集塵ケース（ダストカップ３）の出口開口４９に装着されているときの前記シール部材７３の位置をシール位置としたとき、前記集塵ケース（ダストカップ３）の出口開口４９に装着される前記フィルタ（プリーツフィルタ６０）で閉成され且つ前記集塵ケース（ダストカップ３）の出口開口４９に前記フィルタ（プリーツフィルタ６０）が装着されていないときに前記連通口（格子状のフィルタ押さえ２１の開口）を大気に連通させるリーク通風路（切欠５０，５１，５２）が形成されている。【選択図】  図５
2004313347.tif 000002
【特許請求の範囲】
【請求項１】
電動送風機が内蔵されていると共にフィルタ当接面が設けられ且つ前記フィルタ当接面の内側に前記電動送風機の吸込開口に連通する連通口が設けられた掃除機本体と、
前記掃除機本体に着脱可能に装着され且つ前記掃除機本体の吸込口と前記連通口とに連通する塵埃分離部が設けられた集塵ケースと、
前記集塵ケースの出口開口に着脱可能に装着され且つ前記フィルタ当接面に当接させられたフィルタと、
前記フィルタの外周面と前記集塵ケースの出口開口の内周面との間に介装されたシール部材を備える電気掃除機であって、
前記集塵ケースと前記フィルタ当接面との間には、前記集塵ケースの出口開口に装着される前記フィルタで閉成され且つ前記集塵ケースの出口開口に前記フィルタが装着されていないときに前記連通口を大気に連通させるリーク通風路が形成されていることを特徴とする電気掃除機。
【請求項２】
電動送風機が内蔵されていると共にフィルタ当接面が設けられ且つ前記フィルタ当接面の内側に前記電動送風機の吸込開口に連通する連通口が設けられた掃除機本体と、
前記掃除機本体に着脱可能に装着され且つ前記掃除機本体の吸込口と前記連通口とに連通する塵埃分離部が設けられた集塵ケースと、
前記集塵ケースの出口開口に着脱可能に装着され且つ前記フィルタ当接面に当接するフィルタと、
前記フィルタの外周面と前記集塵ケースの出口開口の内周面との間に介在するシール部材を備える電気掃除機であって、
前記集塵ケースの前記出口開口端部と前記シール部材の当接部との間にリーク通風路が形成され、前記リーク通風路は前記フィルタが装着されていない時に前記連通口を大気に連通させることを特徴とする電気掃除機。
【請求項３】
請求項１または２に記載の電気掃除機において、前記塵埃分離部は前記吸込口から流入するエア中の塵埃を慣性分離する慣性分離部を備え、前記フィルタは前記慣性分離部で分離されない塵埃を捕集する２次フィルタであることを特徴とする電気掃除機。
【発明の詳細な説明】
【０００１】
【発明の属する技術分野】
この発明は、掃除機本体に着脱可能な集塵ケースにフィルタが着脱可能に装着された電気掃除機に関するものである。
【０００２】
【従来の技術】
この種の電気掃除機には、集塵ケースであるダストカップを掃除機本体に着脱可能に装着すると共に、前記掃除機本体内の電動送風機から前記ダストカップに吸込負圧を作用させて、塵埃が含まれるエアを前記ダストカップの内周面に沿って底部側に螺旋渦流となって流れる様に流入させることにより、塵埃をエアから慣性分離してダストカップの底部に堆積させる一方、塵埃が分離されて底部側に流れるエアをダストカップの中央部上方に流して、このエアを上部の出口開口に装着されたフィルタを介して電動送風機に吸い込ませるようにした渦流分離タイプのものがある（特許文献１参照）。
【０００３】
この電気掃除機では、捕集した塵埃を捨てる場合、集塵ケースを掃除機本体から分離して底蓋を開くことにより、集塵室内に捕集された塵埃を捨てることができる。また、フィルタをダストカップから取り外すことにより、フィルタの清掃を行うこともできる。
【０００４】
また、電気掃除機としては、塵埃を直進分離するタイプのダストカップ（集塵ケース）を掃除機本体に着脱可能に装着したものも考えられている。この電気掃除機では、前記ダストカップ内を負圧室と集塵室に区画し、前記掃除機本体の吸込口と前記集塵室を連通させる筒状の第１フィルタ（一次フィルタ）を前記負圧室内に配設し、前記集塵室を前記負圧室に第２フィルタ（一次フィルタ）を介して連通させると共に、前記ダストカップに設けた前記負圧室の出口開口に細塵を捕集させる第３フィルタ（二次フィルタ）を装着したものも考えられている。尚、このダストカップの底部は底蓋で開閉可能に設けられている。
【０００５】
この様な電気掃除機では、捕集した塵埃を捨てる場合、集塵ケースを掃除機本体から分離して底蓋を開くことにより、集塵室内に捕集された塵埃を捨てることができる。また、第３フィルタをダストカップから取り外すことにより、下方に堆積させられた細塵を捨てることができると共に、第３フィルタの清掃を行うこともできる。
【０００６】
【特許文献１】
特開２００３−７９５４５号公報
【０００７】
【発明が解決しようとする課題】
しかしながら、螺旋渦流分離タイプの電気掃除機では、フィルタの取り外し清掃後に、フィルタをダストカップの出口開口に装着し忘れることもある。同様に、直進分離タイプの電気掃除機でも、二次フィルタである第３フィルタを取り外して細塵を捨てたり、第３フィルタを取り外して清掃した後に、第３フィルタをダストカップの負圧室の出口開口に装着し忘れることもある。
【０００８】
この様に出口開口にフィルタを装着し忘れた状態で、ダストカップを掃除機本体に装着し、電動送風機を作動させた場合、比較的大きな塵埃がダストカップに捕集されるものの、細塵は電動送風機に吸い込まれる虞があり、好ましくない。
【０００９】
そこで、この発明は、この様な塵埃を除去するフィルタの集塵ケースへの装着し忘れがあった場合でも、実質的に電動送風機に塵埃の吸込をさせないようにした電気掃除機を提供することを目的とするものである。
【００１０】
【課題を解決するための手段】
この目的を達成するため、この発明の電気掃除機は、電動送風機が内蔵されていると共にフィルタ当接面が設けられ且つ前記フィルタ当接面の内側に前記電動送風機の吸込開口に連通する連通口が設けられた掃除機本体と、前記掃除機本体に着脱可能に装着され且つ前記掃除機本体の吸込口と前記連通口とに連通する塵埃分離部が設けられた集塵ケースを備えている。また、この電気掃除機は、前記集塵ケースの出口開口に着脱可能に装着され且つ前記フィルタ当接面に当接させられたフィルタと、前記フィルタの外周面と前記集塵ケースの出口開口の内周面との間に介装されたシール部材を備えている。しかも、前記集塵ケースと前記フィルタ当接面との間には、前記集塵ケースの出口開口に装着される前記フィルタで閉成され且つ前記集塵ケースの出口開口に前記フィルタが装着されていないときに前記連通口を大気に連通させるリーク通風路が形成されている。
【００１１】
このリーク風路は、集塵ケースに形成される様になっていても良いし、集塵ケースと掃除機本体との間に形成されるようになっていても良い。
【００１２】
【発明の実施の形態】
以下、この発明に係る電気掃除機の実施の形態を図面に基づいて説明する。
【００１３】
図１〜図５において、１は電気掃除機の掃除機本体、２は掃除機本体１の本体ケース、３は本体ケース２の前側に配設された集塵ケース（集塵容器）としてのダストカップ、４はダストカップ３の上方に配設されたカップ押さえ蓋である。５はカップ押さえ蓋４のホース接続筒部、５ａはホース接続筒部５のホース接続口（吸込口）である。
【００１４】
また、図５において、６は本体ケース２の後部の送風機室２ａ内に配設された電動送風機である。この電動送風機６は、遠心ファン部７と、遠心ファン部７を駆動する電動部（モータ部）８を有する。そして、電動部８により遠心ファン部７を作動させると、遠心ファン部７の吸込開口７ａからエアが吸い込まれる様になっている。しかも、この吸い込まれたエアは、電動部８内を流れて内部を冷却した後、電動部８の排気口８ａから排気される様になっている。
【００１５】
更に、ホース接続口５ａには、図１に示したように、可撓性のある集塵ホース９の一端部が着脱可能に嵌合接続されている。この集塵ホース９の他端部には手元操作パイプ１０が一体に設けられている。
【００１６】
この手元操作パイプ（手元操作管）１０には、延長パイプ（延長管）１１を介して吸込口体１２が接続されている。
【００１７】
しかも、手元操作パイプ１０には操作パネル１３が設けられている。この操作パネル１３には、「切」操作用のスイッチＳ１，「弱／中」操作用のスイッチＳ２，「強」操作用のスイッチＳ３が操作スイッチとして設けられている。
＜本体ケース２＞
上述の本体ケース２は、後部に送風機収納部１４ａを有するセンターケース１４と、この送風機収納部１４ａの両側に装着されたサイドケース１５，１５を有する。このセンターケース１４の後壁には図示しない排気口が形成され、サイドケース１５，１５には排気口１５ａ，１５ａが形成されている。
【００１８】
また、このセンターケース１４の前側下部には送風機収納部１４ａの下端部から前側に突出するカップ載置部１６が設けられ、このカップ載置部１６には上方に開放するカップ配設用の凹部１７が形成されている。
【００１９】
この凹部１７を形成する周壁１８の内周面１８ａは図５に示したように上方に向かうに従って開くように傾斜させられている。この凹部１７内には、図１〜図３，図５に示したように上述したダストカップ３の下端部が嵌合載置されている。
【００２０】
しかも、カップ載置部１６の前端部には突部１６ａが形成され、突部１６ａには図４，図５に示したように取手位置決凹部１６ｂが形成され、取手位置決凹部１６ｂ内には図５に示したように係止段部１６ｃが形成されている。
【００２１】
また、送風機収納部１４ａは図５に示したように前側に開口している。この送風機収納部１４ａの前端には図４，図５に示したように環状の内方フランジ１９が形成され、この内方フランジ１９の内周面には図５に示したように帯状の環状シール部材２０が取り付けられている。この環状シール部材２０は、内方フランジ１９の前面（フィルタ当接面）１９ａ側に突出するシールリップ部２０ａを有する。
【００２２】
この環状シール部材２０内には格子状のフィルタ押さえ２１が着脱可能に嵌着されている。このフィルタ押さえ２１は、上端に向かうに従って後方に僅かに傾斜させられている。これにより、ダストカップ３を凹部１７に嵌着しやすくなっている。尚、２１ａは、フィルタ押さえ２１の格子間に形成される開口（連通口）である。
【００２３】
また、送風機収納部１４ａの前端部内にはフィルタ押さえ２１の後方に位置する格子状壁２２が設けられ、この格子状壁２２の後方には上述した送風機室２ａが形成されている。尚、２２ａは、格子状壁２２の格子間に形成される開口（連通口）である。
【００２４】
しかも、フィルタ押さえ２１と格子状壁２２との間にはフィルタ２３が介装されている。更に、内方フランジ１９の前面１９ａの下端部には、図４に示したようにフィルタ当接用の突部２４が形成されている。
＜ダストカップ３＞
この集塵容器（集塵ケース）としてのダストカップ３は、後端及び下端が開放する中空のカップ本体２５と、カップ本体２５の前側に一体に設けられた取手２６を有する。このカップ本体２５の後端部には、図５に示したように外方に向かう段差部ａ１及びこの段差部ａ１に連設された環状壁部ｂ１を有する。この環状壁部ｂ１は、図６，図９に示したように上壁２５ａ，側壁２５ｂ，２５ｃを有すると共に、側壁２５ｂ，２５ｃに連設された下壁２５ｄを有する。また、取手２６の上端部には図２，図３，図８，図１０に示したように係止穴２６ａ，２６ａが形成されている。
【００２５】
また、カップ本体２５内は、内部に設けられた仕切壁２７により上部及び後部側に位置する一連の負圧室２８と、下部側の集塵室（粗塵室）２９に区画されている。この仕切壁２７は、カップ本体２５内の上下方向中間部に一体に設けられた天井壁（上壁）３０と、天井壁３０の後縁と下壁２５ｄとに連設された後壁３１を有する。この下壁２５ｄの前部には細塵捕集用の塵捕集凹部３２が形成され、下壁２５ｄの後部には左右方向中央部に位置させて上下に貫通する係止孔３３が形成されている。
【００２６】
更に、図５，図７に示したように天井壁３０には負圧室２８の上部と集塵室２９とを連通させる上連通口（上排気風路）３４が上連通路として設けられ、後壁３１には負圧室２８の後部と集塵室２９とを連通させる後連通口（後排気風路）３５が後連通路として設けられている。そして、上連通口３４は粗塵フィルタとしてのネットフィルタ（一次フィルタ）３６で閉成され、後連通口３５は粗塵フィルタとしてのネットフィルタ（一次フィルタ）３７で閉成されている。
【００２７】
尚、ネットフィルタ３６，３７としては、１１０μｍ〜３０μｍのメッシュ状の樹脂繊維フィルタの表面にスパッタリングにより金属被膜層を形成したものが用いられていて、非常にゴミが付着しにくいように滑りやすくなっている。また、この金属被膜層に変えてネットフィルタの表面をテフロン（登録商標）加工やフッ素加工を施して、ネットフィルタの表面に滑りやすい被膜層を形成してもよい。
【００２８】
また、集塵室２９の下端開口は図５に示したように底蓋３８で閉成されている。この底蓋３８は、後端部がヒンジＪで下壁２５ｄに回動可能に取り付けられていて、集塵室２９の下端開口を開閉するようになっている。尚、底蓋３８は、前端部が係止爪を有する図示しない係止ロック手段により保持されている。この係止ロック手段は、取手２６に設けられたロック解除ボタン３９の操作に連動して、係止爪（図示せず）による底蓋３８の係止を解除するようになっている。
【００２９】
また、図５に示したようにカップ本体２５の前側上部には円形開口４０が形成され、カップ本体２５の前側上部には左右に延びる突部４１が形成されている。そして、図２，図３，図６〜図８，図１０に示したように、円形開口４０を閉成する前カバー４２の上部には後方に延びるアーム部４２ａが一体に設けられ、図８に示したようにアーム部４２ａの軸部４２ｂが突部４１に回動自在に保持されている。これにより前カバー４２が上下に回動できるようになっている。
【００３０】
この前カバー４２には、この前カバー４２が円形開口４０を閉成したとき、前側に突出する吸込筒部４２ｃが一体に設けられている。この吸込筒部４２ｃは、円形開口と同心で且つ円形開口４０より小径に形成されている。４２ｄは吸込筒部４２ｃ内の吸込風路である。
【００３１】
また、負圧室２８内には、図７に示したようにビス４３で後壁３１に着脱可能に取り付けられた風路形成パイプ４４が配設されている。この風路形成パイプ４４は、前後に延びる前パイプ部４４ａと、前パイプ部４４ａの後端から側方且つ斜め下方に延びる横パイプ部４４ｂからＬ字状に形成されている。
【００３２】
そして、前パイプ部４４は、前側に向かうに従って徐々に拡径するテーパ状に形成されている。この前パイプ部４４には直進慣性による塵埃分離部４５が設けられている。
【００３３】
この塵埃分離部４５は、この前パイプ部４４に設けられた複数の連通口４６と、複数の連通口４６を閉成する筒状フィルタ（粗塵フィルタである一次フィルタ）４７を有する。この複数の連通口４６は、前後に延び且つ周方向に間隔をおいて配列されている。また、筒状フィルタ４７には、前パイプ部４４の内周面に固着された筒状のネットフィルタが用いられている。
【００３４】
この筒状フィルタ４７用のネットフィルタとしては、１１０μｍ〜３０μｍのメッシュ状の樹脂繊維フィルタの表面にスパッタリングにより金属被膜層を形成したものが用いられていて、非常にゴミが付着しにくいように滑りやすくなっている。尚、この金属被膜層に変えてネットフィルタの表面をテフロン（登録商標）加工やフッ素加工を施して、ネットフィルタの表面に滑りやすい被膜層を形成してもよい。
【００３５】
また、筒状フィルタ４７内には図５に示したように円形開口４０に接続された筒状風路４８が形成されている。更に、負圧室２８の後端部には、図５，図６に示したように環状壁部ｂ１内に位置し且つ後方に開放する出口開口４９が形成されている。
【００３６】
更に、環状壁部ｂ１の上壁２５ａ，側壁２５ｂ，２５ｃには切欠５０，５１，５２がリーク風路として形成されている。また、切欠５０の前側には、図７，図９，図１０に示したように上方に開放する係止穴５３が形成されている。
＜カップ押さえ蓋４＞
このカップ押さえ蓋４は、図２〜図４に示したように後端部がヒンジ５４を介して上下回動可能に取り付けられている。尚、上述したホース接続筒部５内のホース接続口５ａはカップ押さえ蓋４の前端部（自由端部）に設けられている。
【００３７】
このホース接続筒部５には、ロック解除ボタン５５，５５と、このロック解除ボタン５５，５５を押すことで間隔が狭くなる方向に移動させられるロック爪５６，５６が設けられている。尚、上述した凹部１７にダストカップ３の下部を嵌合載置すると共に、ダストカップ３の取手２６の下端部を取手位置決凹部１６ｂ内に嵌合させた状態で、カップ押さえ蓋４を水平に倒したときにロック爪５６，５６は下方を向く様になっている。この際、ロック爪５６，５６はダストカップ３の取手２６に設けた係止穴２６ａ，２６ａに係止されるようになっている。
【００３８】
また、カップ押さえ蓋４の前端部には、このカップ押さえ蓋４を水平に倒したときに下方を向く押圧突起５７が設けられている。しかも、取手２６の下端部には図５に示したように係止爪５８が保持され、取手２６内には下方に押圧されると係止爪５８を側方に突出させる連動部材５９が保持されている。この連動部材５９は、図示しないスプリングで上方にバネ付勢されている。
【００３９】
そして、押圧突起５７は、カップ押さえ蓋４を水平に倒したときに、取手２６内に保持させた連動部材５９の上端を下方に押圧して、図５の如く取手２６の下端部に保持させた係止爪５８を係止段部１６ｃ側に突出させ、係止爪５８を係止段部１６ｃに係止させ、ダストカップ３及びカップ押さえ蓋４が固定（ロック）するようになっている。
【００４０】
この固定状態では、ホース接続筒部５内のホース接続口５ａは吸込筒部４２ｃ内の吸込風路４２ｄに連通させられる様になっている。
＜細塵フィルタ＞
また、ダストカップ３の出口開口４９には、上述した粗塵捕捉用のネットフィルタ３６，３７及び筒状フィルタ（一次フィルタ）４７で捕捉できなかった細塵を捕集するプリーツフィルタ６０が図５，図６に示したように細塵フィルタ（二次フィルタ）として着脱可能に嵌着されている。尚、この細塵フィル板としては、細塵を捕捉できればプリーツフィルタ６０以外のフィルタであっても良い。
【００４１】
このプリーツフィルタ６０は、図６，図１３，図１４に示したように略方形で筒状（環状）のフィルタ枠６１と、フィルタ枠６１内に設けられたフィルタ部６２を有する。このフィルタ部６２は、フィルタ用素材である繊維をマット状でプリーツ状（波形状）に成型することにより形成したものである。尚、図６，図１４に示したようにフィルタ部６２は左右方向に波形状に配列された山部６２ａ及び谷部６２ｂを有し、山部６２ａ及び谷部６２ｂは上下方向に延びている。これによりフィルタ部６２に付着した塵埃は、下方に落下したときに細塵捕集用の塵捕集凹部３２に容易に捕集されるようになっている。
【００４２】
また、筒状のフィルタ枠６１の前端及び後端には図９，図１２〜図１４に示したように外方に突出し且つ周縁に沿って環状に延びるフランジ６３，６４がそれぞれ突設され、この筒状フィルタ枠６１前後方向中間にはフランジ６３と平行な環状のフランジ６５が突設されている。このフランジ６３，６５は下方に向かうに従って徐々に後方に傾斜させられ、フランジ６４は下方に向かうに従って徐々に前側に傾斜させられている。このフランジ６４の傾斜は、フィルタ押さえ２１即ちフィルタ押さえ２１の内方フランジ１９の前面１９ａの傾斜と一致させられている。
【００４３】
更に、フィルタ枠６１の上面の中央部には、図１１に示したように左右に間隔をおいた一対の取付壁６６，６６が一体に形成されていると共に、取付壁６６，６６間に位置させたバネ受け突起６７が一体に形成されている。この取付壁６６，６６の互いに反対側の側面には同一軸線を有する支持軸６６ａ，６６ａが一体に形成されている。尚、取付壁６６，６６は前後及び上下に延びている。
【００４４】
そして、この取付壁６６，６６上には板状のクランプレバー６８の両側部が配設されている。このクランプレバー６８の両側部には図１１に示したように取付壁６６，６６に沿って下方に延びる側壁６８ａ，６８ａが一体に設けられ、この側壁６８ａ，６８ａに設けた係合穴６８ｂ，６８ｂに支持軸６６ａ，６６ａが回動自在に嵌合されている。これにより、クランプレバー６８は、支持軸６６ａ，６６ａを中心に回動できるようになっている。
【００４５】
また、クランプレバー６８の後端部には、バネ受け突起６７に対向するバネ受け突起６９が一体に設けられている。しかも、フィルタ枠６１の上面とクランプレバー６８の後端との間には、バネ受け突起６７，６９に嵌合したコイルスプリング７０が介装されている、このコイルスプリング７０は、クランプレバー６８の後部側を上方に回動付勢することにより、クランプレバー６８の前端の爪部６８ｃを下方に回動付勢している。
【００４６】
このクランプレバー６８は、図６に示したようにダストカップ３の切欠（リーク風路）５０に係合させられている。しかも、このクランプレバー６８は、切欠５０を閉成する形状に形成されている。そして、クランプレバー６８の爪部６８ｃがコイルスプリング７０のバネ力で切欠５０の前側の係止穴５３に係合させられている。これにより、プリーツフィルタ６０の上端部がダストカップの上壁２５ａに保持されている。
【００４７】
更に、フランジ６５の下端部の左右方向中央部には、図５，図９，図１２〜１４に示したように下方に突出する係止突起７１が一体に形成されている。この係止突起７１の前側角部には、図９，図１２に示したように係止突起７１をダストカップの下壁２５ｄに設けた係止孔３３に係合させる際にガイドさせるＲ状のガイド面７１ａが形成されている。尚、係止突起７１は、図５，図９に示したように係止孔３３に係止させられている。また、フランジ６４には係止突起７１に対応して切欠６４ａが形成されている。
【００４８】
更に、フランジ６３，６５間には図９，図１２に示したように周方向に延びる環状溝７２が形成され、環状溝７２には断面形状がくの字状で環状の弾性シール部材７３が嵌着されている。この弾性シール部材７３は、ダストカップの環状壁部ｂ１の内周面に弾接する環状にシールリップ７４を有する。尚、上述した切欠５０，５１，５２は、環状壁部ｂ１のシールリップ７４が当接するシール位置より後側、即ち環状壁部ｂ１のシールリップ７４によるシール位置とセンターケース１４の内方フランジ１９との間に形成されている。
【００４９】
このシールリップ７４は、上端のリップ部７４ａが下端のリップ部７４ｂより強く設定されていて、図９に示したように係止突起７１が係止孔３３から抜け外れないようにしている。
【００５０】
また、フィルタ枠６１の両側部には、図２，図３，図６，図１３に示したようにダストカップ３の切欠（リーク風路）５１，５２に係合して、切欠５１，５２を閉成しているツマミ突部７５，７６が一体に形成されている。
［動  作］
次に、上記のように構成される電気掃除機の動作について説明する。
（１）プリーツフィルタ６０のダストカップ３への装着
まず、プリーツフィルタ６０の係止突起７１をダストカップ３の係止孔３３に挿入係合させた後、出口開口４９にプリーツフィルタ６０を嵌合して、クランプレバー６８をダストカップ３の切欠５０に嵌合すると共に、ツマミ突部７５，７６をダストカップ３の切欠５１，５２に係合させる。
【００５１】
この際、クランプレバー６８の後部をコイルスプリング７０のバネ力に抗して下方に押圧して、クランプレバー６８の前端部の爪部６８ｃを切欠５０の前側の係止穴５３に臨ませ、クランプレバー６８の後部から押圧力を解除することで、クランプレバー６８の爪部６８ｃをコイルスプリング７０のバネ力で係止穴５３に係合させる。これにより、プリーツフィルタ６０の上端部がダストカップの上壁２５ａにクランプレバー６８によりクランプ保持される。
【００５２】
尚、プリーツフィルタ６０の係止突起７１がダストカップ３の係止孔３３に係合していない状態で、プリーツフィルタ６０の上端部がダストカップの上壁２５ａにクランプレバー６８によりクランプ保持されたとしても、プリーツフィルタ６０を前側に押すことで、係止突起７１のガイド面７１ａがシールリップ７４の上側のリップ部７４ａを撓めながらダストカップの下壁２５ｄを乗り上げた後、係止突起７１が下壁２５ｄの係止孔３３側に移動させられて、このリップ部７４ａの弾性力により係止突起７１が係止孔３３に係合させられる。
【００５３】
この状態で、ダストカップ３の下端部を図４，図５に示したカップ載置部１６の凹部１７内に載置すると共に、ダストカップ３の取手２６の下端部をカップ載置部１６の突部１６ａに設けた取手位置決凹部１６ｂ内に挿入係合させる。この際、ダストカップ３の下端部は、凹部１７を形成する周壁１８の傾斜する内周面１８ａにガイドされた後、凹部１７の所定位置内に載置される。
【００５４】
従って、上述のようにプリーツフィルタ６０の係止突起７１がダストカップ３の係止孔３３に係合していない状態で、プリーツフィルタ６０の上端部がダストカップの上壁２５ａにクランプレバー６８によりクランプ保持されていたとしても、ダストカップ３の下端部が凹部１７の所定位置内に載置される際、突部２４がフランジ６４の切欠６４ａの部分から係止突起７１の背面に係合して、係止突起７１が突部２４により前側に押圧変位させられる。
【００５５】
これにより、係止突起７１のガイド面７１ａがシールリップ７４の上側のリップ部７４ａを撓めながらダストカップの下壁２５ｄを乗り上げた後、係止突起７１が下壁２５ｄの係止孔３３側に移動させられて、このリップ部７４ａの弾性力により係止突起７１が係止孔３３に係合させられる。
【００５６】
この様にプリーツフィルタ６０は、不完全な状態でダストカップ３に装着されていても、ダストカップ３を凹部１７に載置する際に、ダストカップ３の所定の位置に装着されることになる。
【００５７】
尚、プリーツフィルタ６０は、フィルタ枠６１のフランジ６４が環状シール部材２０のシールリップ部２０ａに弾接させられて、本体ケース２の内方フランジ１９との間が気密にシールされている。
（２）プリーツフィルタ６０のダストカップ３からの取り外し
また、プリーツフィルタ６０をダストカップ３から取り外すには、クランプレバー６８の後部をコイルスプリング７０のバネ力に抗して下方に押圧して、プリーツフィルタ６０を後方に引っ張ることで、プリーツフィルタ６０をダストカップ３から取り外すことができる。
【００５８】
この際、プリーツフィルタ６０の左右のツマミ突部７５，７６を掴んだ状態で、プリーツフィルタ６０を後方に引っ張ることにより、プリーツフィルタ６０を安定した状態でダストカップ３から取り外すことができる。
（３）塵埃分離
上述したように、ダストカップ３を本体ケース２のカップ載置部位置１６の凹部１７内に載置した後、カップ押さえ蓋４を水平に倒してロック爪５６，５６をダストカップ３の取手２６に設けた係止穴２６ａ，２６ａに係止させる。
【００５９】
この際、カップ押さえ蓋４に設けた押圧突起５７が、取手２６内に保持させた連動部材５９の上端を下方に押圧して、取手２６の下端部に保持させた係止爪５８を係止段部１６ｃ側に突出させ、係止爪５９を係止段部１６ｃに係止させ、ダストカップ３及びカップ押さえ蓋４が固定（ロック）する。
【００６０】
そして、操作パネル１３のスイッチＳ２又はスイッチＳ３をＯＮ操作することにより、電動送風機６が駆動される。これにより、電動送風機６の遠心ファン部７はエアを吸込開口７ａから吸い込むことで負圧を発生させ、この負圧が本体ケース２の格子状壁２２の開口（符号省略），フィルタ２３，格子状のフィルタ押さえ２１の開口（符号省略）及びプリーツフィルタ６０等を介して負圧室２８に作用する。
【００６１】
この負圧が風路形成パイプ４４の連通口４６，筒状フィルタ４７，筒状風路４８，吸込風路４２ａ，カップ押さえ蓋４の接続口５ａ，集塵ホース９，延長パイプ１１を介して吸込口体１２に作用し、吸込口体１２からエア（空気）とともに塵埃が吸引される。
【００６２】
この吸込口体１２に吸い込まれた塵埃及びエアは、延長パイプ１１，集塵ホース９，カップ押さえ蓋４の接続口５ａ，吸込風路４２ａを介して筒状フィルタ４７内の筒状風路４８内に吸引される。
【００６３】
この筒状風路４８に吸い込まれるエアには上述したように塵埃が含まれている。この塵埃のうち所定以上の質量のある塵埃は、前後方向に略直線状に延びる筒状風路４８内に吸引されると、筒状風路４８内に吸引して流入する際の慣性力により直進した後、横パイプ部４４ｂを介して集塵室２９の側方へ導入される。この際、エアの一部は風路形成パイプ４４を介して集塵室２９に吸引される。
【００６４】
また、筒状風路４８に吸引されたエアは、周縁部の一部が筒状フィルタ４７を介して負圧室２８内に吸引される。この際、筒状風路４８に吸い込まれる塵埃のうち比較的軽い綿埃等は筒状フィルタ４７に捕捉される。しかし、細塵は筒状フィルタ４７を透過してエアと共に負圧室２８内に流入する。
【００６５】
この様にして、筒状風路４８に吸い込まれる塵埃のうち所定以上の質量のある塵埃は直進慣性力によりエアの一部から慣性分離される。
【００６６】
更に、集塵室２９内にエアと共に吸引された塵埃はエアから分離されて集塵室２９内に底部側から堆積させられる。この塵埃が分離されたエアは、ネットフィルタ３６及び上連通口３４を介して負圧室２８の上部に吸引される一方、ネットフィルタ３７及び後連通口３５を介して負圧室２８の後方側下部内に吸引される。この際、塵埃の一部はネットフィルタ３６，３７に捕捉されるが、細塵はエアと共に負圧室２８内に流入する。
【００６７】
この様にして負圧室２８に吸い込まれたエアは、電動送風機６から作用する負圧によりプリーツフィルタ６０を透過する。この際、エアに含まれる細塵は、プリーツフィルタ６０に捕捉された後、一部が落下させられて下方の塵捕集凹部３２に捕集される。
【００６８】
そして、プリーツフィルタ６０を透過したエアは、格子状のフィルタ押さえ２１の開口（符号省略），フィルタ２３，格子状壁２２の開口（符号省略）を介して電動送風機６の吸込開口７ａを介して遠心ファン部７内に吸い込まれる。
【００６９】
この吸い込まれたエアは、電動部８内を流れて内部を冷却した後、電動部８の排気口８ａから排気される。そして、この排気は、センターケース１４の後壁の図示しない排気口及びサイドケース１５，１５の排気口１５ａ，１５ａを介して大気に排気される。
【００７０】
また、この様な作用において、筒状フィルタ４７がある程度目詰まりすると、筒状フィルタ４７内の筒状風路４８内を流れるエアの大半が風路形成用パイプ４４を介して集塵室２９内に流入するので、筒状風路４８内を流れるエアの流速が早くなり、筒状フィルタ４７の内周面に付着した塵埃を剥離し、筒状フィルタ４７の目詰まり状態が解消される。
（４）プリーツフィルタ６０のダストカップ３への装着忘れ時
プリーツフィルタ６０をダストカップ３に装着し忘れた状態で、このダストカップ３の下端部を図４，図５に示したカップ載置部１６の凹部１７内に載置すると共に、ダストカップ３の取手２６の下端部をカップ載置部１６の突部１６ａに設けた取手位置決凹部１６ｂ内に挿入係合させると、図１５，図１６に示したように出口開口４９がリーク風路である切欠５０〜５１を介して大気に開放するので、負圧室２８もダストカップ３の切欠５０，５１，５２を介して大気に開放される。
【００７１】
従って、この状態で電動送風機６を上述したように作動させて、遠心ファン部７の吸込開口７ａからの吸込負圧を本体ケース２の格子状壁２２の開口２２ａ，フィルタ２３，格子状のフィルタ押さえ２１の開口２１ａ及びプリーツフィルタ６０等を介して出口開口４９及び負圧室２８に作用させても、この負圧により切欠５０，５１，５２から大気が吸い込まれる。
【００７２】
この結果、負圧室２８内の負圧が大きくならないので、吸込口体１２から塵埃が吸い込まれることはなく、塵埃が電動送風機６に吸い込まれるようなことはない。
（変形例１）
以上説明した実施例では、上壁２５ａ，側壁２５ｂ，２５ｃに設けた切欠５０，５１，５２をフィルタ装着し忘れ時の大気導入用のリーク風路としているが、必ずしもこれに限定されるものではない。例えば、上壁２５ａ，側壁２５ｂ，２５ｃに方形又は円形或いはスリット状のリーク風路を形成した構成としてもよい。この場合も、リーク風路は環状壁部ｂ１のシールリップ７４が当接するシール位置より後側、即ち環状壁部ｂ１のシールリップ７４によるシール位置とセンターケース１４の内方フランジ１９との間に形成されている。
（変形例２）
更に、上述した実施例ではプリーツフィルタ６０の全体をダストカップ３の環状壁部ｂ１内に嵌合するようにしているが、必ずしもこれに限定されるものではない。また、上壁２５ａ，側壁２５ｂ，２５ｃに設けた切欠５０，５１，５２をフィルタ装着し忘れ時の大気導入用のリーク風路としているが、必ずしもこれに限定されるものではない。
【００７３】
例えば、図１５に示したように、プリーツフィルタ６０をダストカップ３の環状壁部ｂ１に嵌着したとき、このプリーツフィルタ６０の一部がダストカップ３の環状壁部ｂ１から後方に突出するようにすることにより、プリーツフィルタ６０をダストカップ３の環状壁部ｂ１に装着し忘れたとき、図１８に示したようにダストカップ３の環状壁部ｂ１の後端と本体ケース２との間に連続する間隙７７がリーク風路として形成されるようにしてもよい。
（変形例３）
また、以上説明した実施例では、ダストカップ３のリーク風路（切欠５０，５１，５２等）を塵埃を直進させてエアから慣性分離するようにした電気掃除機に適用した例を示したが、必ずしもこれに限定されるものではない。
【００７４】
たとえば、塵埃が含まれるエアを集塵容器（ダストカップ）内に旋回流として流入させて、塵埃をエアから慣性分離させるタイプの電気掃除機に上述したリーク風路を適用することもできる。
（変形例４）
また、電動送風機が内蔵された掃除機本体の前側に集塵ケースを着脱可能に装着すると共に、この集塵ケースの後端部内にフィルタを装着したタイプの電気掃除機に上述したリーク風路を適用することもできる。
【００７５】
以上説明したように、この発明の実施の形態の電気掃除機は、電動送風機６が内蔵されていると共にフィルタ当接面（内方フランジ１９の前面１９ａ）が設けられ且つ前記フィルタ当接面（内方フランジ１９の前面１９ａ）の内側に前記電動送風機６の吸込開口７ａに連通する連通口（格子状のフィルタ押さえ２１の開口２１ａ）が設けられた掃除機本体１を有する。また、電気掃除機は、前記掃除機本体１に着脱可能に装着され且つ前記掃除機本体１の吸込口（接続口５ａ）と前記連通口（格子状のフィルタ押さえ２１の開口２１ａ）とに連通する塵埃分離部４５が設けられた集塵ケース（ダストカップ３）を有する。
【００７６】
更に、電気掃除機は、前記集塵ケース（ダストカップ３）の出口開口４９に着脱可能に装着され且つ前記フィルタ当接面に当接させられたフィルタ（プリーツフィルタ６０）と、前記フィルタ（プリーツフィルタ６０）の外周面と前記集塵ケース（ダストカップ３）の出口開口の内周面との間に介装されたシール部材（弾性シール部材７３）を備える。
【００７７】
そして、シール部材（弾性シール部材７３）によるシール位置と前記フィルタ当接面（内方フランジ１９の前面１９ａ）との間には、前記フィルタ枠６１が前記集塵ケース（ダストカップ３）の出口開口４９に装着されているときの前記シール部材７３の位置をシール位置としたとき、前記集塵ケース（ダストカップ３）の出口開口４９に装着される前記フィルタ（プリーツフィルタ６０）で閉成され且つ前記集塵ケース（ダストカップ３）の出口開口４９に前記フィルタ（プリーツフィルタ６０）が装着されていないときに前記連通口（格子状のフィルタ押さえ２１の開口２１ａ）を大気に連通させるリーク通風路（切欠５０，５１，５２、間隙７７）が形成されている。
【００７８】
この構成によれば  プリーツフィルタ６０をダストカップ３に装着し忘れた状態で、このダストカップ３を掃除機本体１に装着しても、前記連通口（格子状のフィルタ押さえ２１の開口）を大気に連通させるリーク通風路（切欠５０，５１，５２、間隙７７）が形成されるので、この状態で電動送風機６を上述したように作動させて、電動送風機６の吸込負圧を本体ケース２の格子状壁２２の開口（符号省略）を介してダストカップ３に作用させても、この負圧によりリーク通風路（切欠５０，５１，５２、間隙７７）から大気が吸い込まれる。この結果、ダストカップ３内の負圧が大きくならないので、吸込口体１２から塵埃が吸い込まれることはなく、塵埃が電動送風機６に吸い込まれるようなことはない。
【００７９】
また、この発明の実施の形態の電気掃除機では、電動送風機６が内蔵されていると共にフィルタ当接面（内方フランジ１９の前面１９ａ）が設けられ且つ前記フィルタ当接面（内方フランジ１９の前面１９ａ）の内側に前記電動送風機６の吸込開口７ａに連通する連通口（格子状のフィルタ押さえ２１の開口２１ａ）が設けられた掃除機本体１を有する。また、電気掃除機は、前記掃除機本体１に着脱可能に装着され且つ前記掃除機本体１の吸込口（接続口５ａ）と前記連通口（格子状のフィルタ押さえ２１の開口２１ａ）とに連通する塵埃分離部４５が設けられた集塵ケース（ダストカップ３）を有する。更に、電気掃除機は、前記集塵ケース（ダストカップ３）の出口開口４９に着脱可能に装着され且つ前記フィルタ当接面に当接させられたフィルタ（プリーツフィルタ６０）と、前記フィルタ（プリーツフィルタ６０）の外周面と前記集塵ケース（ダストカップ３）の出口開口の内周面との間に介在するシール部材（弾性シール部材７３）を備える。
【００８０】
そして、前記集塵ケース（ダストカップ３）の前記出口開口４９端部と前記シール部材（弾性シール部材７３）の当接部との間にリーク通風路（切欠５０，５１，５２）が形成され、前記リーク通風路（切欠５０，５１，５２）は前記フィルタ（プリーツフィルタ６０）が装着されていない時に前記連通口（格子状のフィルタ押さえ２１の開口２１ａ）を大気に連通させる様になっている。
【００８１】
この構成によれば  プリーツフィルタ６０をダストカップ３に装着し忘れた状態で、このダストカップ３を掃除機本体１に装着しても、前記連通口（格子状のフィルタ押さえ２１の開口）を大気に連通させるリーク通風路（切欠５０，５１，５２）が形成されるので、この状態で電動送風機６を上述したように作動させて、電動送風機６の吸込負圧を本体ケース２の格子状壁２２の開口（符号省略）を介してダストカップ３に作用させても、この負圧によりリーク通風路（切欠５０，５１，５２）から大気が吸い込まれる。この結果、ダストカップ３内の負圧が大きくならないので、吸込口体１２から塵埃が吸い込まれることはなく、塵埃が電動送風機６に吸い込まれるようなことはない。
【００８２】
更に、この発明の実施の形態の電気掃除機では、前記塵埃分離部４５は前記吸込口（接続口５ａ）から流入するエア中の塵埃を慣性分離する慣性分離部（一次フィルタである筒状フィルタ４７）を備え、前記フィルタ（プリーツフィルタ６０）は前記慣性分離部（筒状フィルタ４７）で分離されない塵埃を捕集する２次フィルタである。
【００８３】
この構成によれば、慣性分離により大半の塵埃を捕集できるので、紙パックフィルタ等のフィルタを必要としない。しかも、この慣性分離部（一次フィルタである筒状フィルタ４７）で分離し得ない細塵をフィルタ（プリーツフィルタ６０）で捕捉できる。また、このフィルタ（プリーツフィルタ６０）をダストカップ３に装着し忘れても、細塵が電動送風機に吸い込まれるのが未然に防止される。
【００８４】
また、この発明の実施の形態の電気掃除機では、前記集塵ケース（ダストカップ３）と前記フィルタ当接面（内方フランジ１９の前面１９ａ）との間には、前記フィルタ枠６１が前記集塵ケース（ダストカップ３）の出口開口４９に装着されているときの前記シール部材７３の位置をシール位置としたとき、前記集塵ケース（ダストカップ３）の出口開口４９に装着される前記フィルタ（プリーツフィルタ６０）で閉成され且つ前記集塵ケース（ダストカップ３）の出口開口４９に前記フィルタ（プリーツフィルタ６０）が装着されていないときに前記連通口（格子状のフィルタ押さえ２１の開口）を大気に連通させるリーク通風路（間隙７７）が形成されている。
【００８５】
この構成によればプリーツフィルタ６０をダストカップ３に装着し忘れた状態で、このダストカップ３を掃除機本体１に装着しても、前記連通口（格子状のフィルタ押さえ２１の開口）を大気に連通させるリーク通風路（間隙７７）が形成されるので、この状態で電動送風機６を上述したように作動させて、電動送風機６の吸込負圧を本体ケース２の格子状壁２２の開口（符号省略）を介してダストカップ３に作用させても、この負圧によりリーク通風路（間隙７７）から大気が吸い込まれる。この結果、ダストカップ３内の負圧が大きくならないので、吸込口体１２から塵埃が吸い込まれることはなく、塵埃が電動送風機６に吸い込まれるようなことはない。
【００８６】
このようにリーク風路は、集塵ケース（ダストカップ３）に形成される様になっていても良いし、集塵ケース（ダストカップ３）と掃除機本体１の本体ケース２との間に形成されるようになっていても良いし、掃除機本体１の本体ケース２に形成されるようになっていても良い。
【００８７】
【発明の効果】
以上説明したような発明の構成によれば、塵埃を除去するフィルタの集塵ケースへの装着し忘れがあった場合でも、実質的に塵埃を電動送風機に吸込せないようにできる。
【図面の簡単な説明】
【図１】この発明に係る電気掃除機の概略斜視図である。
【図２】図１のカップ押さえ蓋を開いた状態の掃除機本体の斜視図である。
【図３】図２の掃除機本体を別の角度から見た斜視図である。
【図４】図２のダストカップを取り外した状態の掃除機本体の斜視図である。
【図５】図１のＡ１−Ａ１線に沿う断面図である。
【図６】図１〜図３のダストカップを斜め後ろから見た斜視図である。
【図７】図６のプリーツフィルタを取り外して斜め後方から見たダストカップの斜視図である。
【図８】図６のダストカップの平面図である。
【図９】図８のＡ２−Ａ２線に沿う要部拡大断面図である。
【図１０】図７のダストカップの平面図である。
【図１１】図９のＡ３−Ａ３線に沿う断面図である。
【図１２】図９のダストカップから取り外した状態のプリーツフィルタの断面図である。
【図１３】図６のプリーツフィルタの左側面図である。
【図１４】図１３のプリーツフィルタの下面図である。
【図１５】図２のダストカップにプリーツフィルタを装着し忘れた場合の掃除機本体の斜視図である。
【図１６】図１５の掃除機本体を別の角度から見た斜視図である。
【図１７】この発明の電気掃除機の変形例を示す掃除機本体の斜視図である。
【図１８】図１７のダストカップにプリーツフィルタを装着し忘れたときの斜視図である。
【符号の説明】
１…掃除機本体
２…本体ケース
３…ダストカップ（集塵ケース）
５ａ…接続口（吸込口）
６…電動送風機
７…遠心ファン部
７ａ…吸込開口
１９…内方フランジ
１９ａ…前面（フィルタ当接面）
２１…フィルタ押さえ
４５…塵埃分離部
４９…出口開口
５０，５１，５２…切欠（リーク風路）
６０…プリーツフィルタ（フィルタ）
６１…フィルタ枠
７３…弾性シール部材（シール部材）
７５…間隙（リーク風路）
【図１】
2004313347.tif 000003
【図２】
2004313347.tif 000004
【図３】
2004313347.tif 000005
【図４】
2004313347.tif 000006
【図５】
2004313347.tif 000007
【図６】
2004313347.tif 000008
【図７】
2004313347.tif 000009
【図８】
2004313347.tif 000010
【図９】
2004313347.tif 000011
【図１０】
2004313347.tif 000012
【図１１】
2004313347.tif 000013
【図１２】
2004313347.tif 000014
【図１３】
2004313347.tif 000015
【図１４】
2004313347.tif 000016
【図１５】
2004313347.tif 000017
【図１６】
2004313347.tif 000018
【図１７】
2004313347.tif 000019
【図１８】
2004313347.tif 000020